(57)【要約】【課題】建築計画の自由度を上げることができるサーバ室用空調システムを提供する。【解決手段】サーバ室２が設けられたサーバフロア３と、ＵＰＳ室４（無停電電源装置室）および空調機室５が設けられたＵＰＳフロア６（無停電電源装置フロア）と、を有し、ＵＰＳ室４とサーバ室２とは、上下に配置され、ＵＰＳ室４からサーバ室２へ空気の流入が可能に構成され、空調機室５に設置された空調機５１は、ＵＰＳ室４へ冷気を供給するとともに、サーバ室２の空気を空調機室５に吸引するように構成され、空調機室５に設けられた空調機５１からＵＰＳ室４へ供給された冷気は、ＵＰＳ室４に設けられたＵＰＳ４１（無停電電源装置）を冷却してから、サーバ室２に流入し、サーバ室２に設けられたサーバ２１を冷却してから空調機室５に吸引されるように構成され、サーバフロア３は、ＵＰＳフロア６の少なくとも下階に設けられている。【選択図】図２
2020080117.tif 000002
【特許請求の範囲】
【請求項１】
サーバ室を空調するサーバ室用空調システムにおいて、
前記サーバ室が設けられたサーバフロアと、
無停電電源装置室および空調機室が設けられた無停電電源装置フロアと、を有し、
前記無停電電源装置フロアと前記サーバフロアとは、上下に配置され、前記無停電電源装置室から前記サーバ室へ空気の流入が可能に構成され、
前記空調機室に設置された空調機は、前記無停電電源装置室へ冷気を供給するとともに、前記サーバ室の空気を前記空調機室に吸引するように構成され、
前記空調機室に設けられた空調機から前記無停電電源装置室へ供給された冷気は、前記無停電電源装置室に設けられた無停電電源装置を冷却してから、前記サーバ室に流入し、前記サーバ室に設けられたサーバを冷却してから前記空調機室に吸引されるように構成され、
前記サーバフロアは、前記無停電電源装置フロアの少なくとも下階に設けられていることを特徴とするサーバ室用空調システム。
【請求項２】
前記サーバフロアが前記無停電電源装置フロアの上階および下階の両方に設けられ、
前記無停電電源装置フロアと、前記無停電電源装置フロアの下階のサーバフロアと、前記無停電電源装置フロアの上階のサーバフロアと、からなる３層構造として構成され、
前記無停電電源装置フロアの前記空調機室に設けられた前記空調機から供給された冷気が、前記無停電電源装置室を介して前記上階のサーバフロアおよび前記下階のサーバフロアに供給可能に構成されていることを特徴とする請求項１に記載のサーバ室用空調システム。
【請求項３】
前記サーバ室には、多数の前記サーバを収容した複数のサーバラックが互いに間隔をあけて配列され、
前記無停電電源装置室から前記サーバ室に流入する冷気は、隣り合う前記サーバラックの間に流入することを特徴とする請求項１又は２に記載のサーバ室用空調システム。
【発明の詳細な説明】
【技術分野】
【０００１】
本発明は、サーバ室用空調システムに関する。
【背景技術】
【０００２】
従来、データセンサーや電算センサーにおける多数のサーバが設けられたサーバ室の空調システムとして、サーバ室内またはサーバ室に隣接して空調機室を設け、空調機室からサーバ室に冷風を供給し、サーバ室を冷却するサーバ室用システムが知られている。
【０００３】
また、特許文献１に開示されたサーバ室用空調システムでは、上層にサーバ室を設け、下層に空調機室および無停電電源装置室を設け、空調機室から無停電電源装置室に冷気を供給し、無停電電源装置を冷却した冷気を直接サーバ室に供給してサーバを冷却している（例えば、特許文献１参照）。
【先行技術文献】
【特許文献】
【０００４】
【特許文献１】特開２０１１−２２０５８６号公報
【発明の概要】
【発明が解決しようとする課題】
【０００５】
しかしながら、特許文献１に開示されたサーバ室用空調システムは、上層にサーバ室を設け、下層に空調機室および無停電電源装置室を設ける構成であるため、建築計画において制約が生じるという問題がある。
【０００６】
そこで、本発明は、建築計画の自由度を上げることができるサーバ室用空調システムを提供することを目的とする。
【課題を解決するための手段】
【０００７】
上記目的を達成するため、本発明に係るサーバ室用空調システムは、サーバ室を空調するサーバ室用空調システムにおいて、前記サーバ室が設けられたサーバフロアと、無停電電源装置室および空調機室が設けられた無停電電源装置フロアと、を有し、前記無停電電源装置フロアと前記サーバフロアとは、上下に配置され、前記無停電電源装置室から前記サーバ室へ空気の流入が可能に構成され、前記空調機室に設置された空調機は、前記無停電電源装置室へ冷気を供給するとともに、前記サーバ室の空気を前記空調機室に吸引するように構成され、前記空調機室に設けられた空調機から前記無停電電源装置室へ供給された冷気は、前記無停電電源装置室に設けられた無停電電源装置を冷却してから、前記サーバ室に流入し、前記サーバ室に設けられたサーバを冷却してから前記空調機室に吸引されるように構成され、前記サーバフロアは、前記無停電電源装置フロアの少なくとも下階に設けられていることを特徴とする。
【０００８】
本発明では、空調機室から無停電電源装置室に供給された冷気をサーバ室に供給するサーバ室用空調システムにおいて、サーバフロアを無停電電源装置フロアの少なくとも下階に設けることができるため、建築計画の自由度を上げることができる。また、無停電電源装置室の冷気を下側のサーバ室に移動させるため、無停電電源装置室からサーバ室への空気の移動を効率よく行うことができる。
また、無停電電源装置室の冷気をサーバ室に直接送り込み、サーバ室を冷却するため、搬送動力を削減することができるとともに、空調のダクトレス化および空調機の集約化を図ることができ、ランニングコスト低減にも寄与する。また、無停電電源装置室からサーバ室へ均質な冷気を送り込むことができる。
また、無停電電源装置室からサーバ室に直接電源を送り込むことができるため、ケーブルおよびケーブルラックを削減することができる。
また、空調の集約化やケーブルおよびケーブルラックの削減を図ることができるため、サーバフロアや無停電電源装置フロアに柱が設けられていてもサーバや無停電電源装置、空調機などの配置の自由度が高いため、経済的な柱スパンに対応することができる。また、空調のダクトレス化やケーブルおよびケーブルラックの削減を図ることができるため、必要となる階高を小さくすることができる。これらのことにより、サーバ室用空調システムをコンパクトにかつ安価に構築することができる。
【０００９】
また、本発明に係るサーバ室用空調システムでは、前記サーバフロアが前記無停電電源装置フロアの上階および下階の両方に設けられ、前記無停電電源装置フロアと、前記無停電電源装置フロアの下階のサーバフロアと、前記無停電電源装置フロアの上階のサーバフロアと、からなる３層構造として構成され、前記無停電電源装置フロアの前記空調機室に設けられた前記空調機から供給された冷気が、前記無停電電源装置室を介して前記上階のサーバフロアおよび前記下階のサーバフロアに供給可能に構成されていてもよい。
空調機から無停電電源装置室に供給された空気を無停電電源装置室の下階のサーバフロアおよび上階のサーバフロアそれぞれのサーバ室に流入させることができるため、空調機の集約化をより効率的に図ることができるとともに、ケーブルおよびケーブルラックの削減をより効率的に図ることができる。
【００１０】
また、本発明に係るサーバ室用空調システムでは、前記サーバ室には、多数の前記サーバを収容した複数のサーバラックが互いに間隔をあけて配列され、前記無停電電源装置室から前記サーバ室に流入する冷気は、隣り合う前記サーバラックの間に流入するように構成されていてもよい。
このような構成とすることにより、無停電電源装置室からサーバ室に流入する冷気を多くのサーバに当てることができ、多くのサーバを均等に冷却することができる。
【発明の効果】
【００１１】
本発明によれば、建築計画の自由度を上げることができる。
【図面の簡単な説明】
【００１２】
【図１】本発明の実施形態によるサーバ室用空調システムの一例を示す断面図である。
【図２】本発明の実施形態によるサーバ室用空調システムの一例を示す他の方向から見た断面図である。
【図３】ＵＰＳフロアの平面図である。
【図４】下階サーバフロアの平面図である。
【発明を実施するための形態】
【００１３】
以下、本発明の実施形態によるサーバ室用空調システムについて、図１−図４に基づいて説明する。
図１および図２に示すように、本実施形態によるサーバ室用空調システム１は、３層以上の複数階を有する建物１１の連続する３つの階に設けられている。これらの連続する３つの階をｎ階、ｎ＋１階、ｎ＋２階とすると、ｎ階およびｎ＋２階がサーバ室２が設けられたサーバフロア３となり、ｎ＋１階がＵＰＳ室４（無停電電源装置室）および空調機室５が設けられたＵＰＳフロア６（無停電電源装置フロア）となっている。
本実施形態によるサーバ室用空調システム１は、ＵＰＳフロア６の上下階それぞれにサーバフロア３が設けられた３層構造となっている。
サーバフロア３のうち、ＵＰＳフロア６の下階のｎ階のサーバフロア３を下階サーバフロア３１とし、ＵＰＳフロア６の上階のｎ＋２階のサーバフロア３を上階サーバフロア３２とする。
本実施形態では、ＵＰＳフロア６と下階サーバフロア３１とは、上階となるＵＰＳフロア６の床材１４によって仕切られていて、ＵＰＳフロア６と上階サーバフロア３２とは、上階となる上階サーバフロア３２の床材１５によって仕切られている。
【００１４】
本実施形態では、上記の３層構造で平面視形状で長方形となるサーバ室用空調システムユニット７が上下方向および水平方向に複数配列されている。図１−図４では１つのサーバ室用空調システムユニット７を示している。以下では、１つのサーバ室用空調システムユニット７について説明する。
サーバ室用空調システムユニット７の平面視形状における長手方向を奥行き方向（とし、短手方向を間口方向とする。
図１−図４に示すように、建物１１には、奥行き方向および間口方向に同じスパンで柱１２が立設している。本実施形態では、柱１２のスパンを１０ｍ程度と想定している。サーバ室用空調システムユニット７は、間口方向が２の柱スパン、奥行き方向が５の柱スパンとなる領域に構成されている。１つのサーバ室用空調システムユニット７は、奥行き方向の中央に間口方向全体に延びる壁部１３が設けられていて、この壁部１３によって奥行き方向の一方側と他方側とに仕切られている。１つのサーバ室用空調システムユニット７における壁部１３の一方側と他方側とは、別の空調系統となっている。
【００１５】
図１−図３に示すように、ＵＰＳフロア６には、奥行き方向の両端部分それぞれに１つの空調機室５が設けられ、奥行き方向の中央部分に２つの空調機室５が奥行き方向に連続して設けられている。ＵＰＳフロア６には、奥行き方向の一方側の端部分に設けられた空調機室５と奥行き方向の中央部分に設けられた２つの空調機室５との間、および奥行き方向の他方側の端部分に設けられた空調機室５と奥行き方向の中央部分に設けられた２つの空調機室５との間のそれぞれにＵＰＳ室４が設けられている。
【００１６】
空調機室５には、空調機５１が設けられている。
ＵＰＳ室４には、ＵＰＳ４１（無停電電源装置）が設けられている。ＵＰＳ室４には、ＵＰＳ４１の他にＳＴＳ（双方向無瞬断切換装置）、ＰＤＵ（電源タップ）などが設けられている場合もある。ＵＰＳ４１には、例えば、鉛蓄電池やリチウムイオン蓄電池が搭載されている。一般に、鉛蓄電池よりもリチウムイオン蓄電池が搭載されているＵＰＳ４１のほうが小型となるため、本実施形態では、リチウムイオン蓄電池が搭載されたＵＰＳ４１が想定されている。
以下では、ＵＰＳ４１、ＳＴＳ、ＰＤＵなどのＵＰＳ室４に設けられている装置を合わせてＵＰＳ４１と表記する。
ＵＰＳ４１は、１つまたは複数が配列されて奥行き方向に延びる列をなすように配置されている。ＵＰＳ４１の列は、間口方向に間隔をあけて複数配列されている。本実施形態では、１つのＵＰＳ室４に５つのＵＰＳ４１の列（以下、ＵＰＳ列４２とする）が設けられている。
５つのＵＰＳ列４２を間口方向の一方側から他方側に向かって第１〜第５ＵＰＳ列４２１〜４２５とする。
【００１７】
図１、図２および図４に示すように、サーバフロア３には、奥行き方向の両端部分それぞれに１つのエアダクト８が設けられ、奥行き方向の中央部分に２つのエアダクト８が奥行き方向に連続して設けられている。サーバフロア３には、奥行き方向の一方側の端部分に設けられたエアダクト８と奥行き方向の中央部分に設けられた２つのエアダクト８との間、および奥行き方向の他方側の端部分に設けられたエアダクト８と奥行き方向の中央部分に設けられた２つのエアダクト８との間のそれぞれにサーバ室２が設けられている。
エアダクト８は、ＵＰＳフロア６の空調機室５と上下方向に重なる位置に配置されている。サーバ室２は、ＵＰＳフロア６のＵＰＳ室４と上下方向に重なる位置に配置されている。
なお、図４は、下階サーバフロア３１の平面図であるが、下階サーバフロア３１と上階サーバフロア３２とは、サーバ室２およびエアダクト８がほぼ同じように配置されている。
【００１８】
エアダクト８は、内部が空調機室５の内部と連通していて、サーバ室２の空気が空調機室５に流入するためのダクトとして設けられている。
【００１９】
サーバ室２には、多数のサーバ２１が収納された複数のサーバラック２２が配列されている。
複数のサーバラック２２は、奥行き方向に配列され奥行き方向に長いサーバラック２２の列（以下、サーバラック列２３とする）が間口方向に間隔をあけて複数設けられている。本実施形態では、１つのサーバ室２に８つのサーバラック列２３が設けられている。
８つのサーバラック列２３を間口方向の一方側から他方側に向かって第１〜第８サーバラック列２３１〜２３８とする。
なお、１つのサーバラック列２３は、１つの奥行き方向に長いサーバラック２２で構成されていてもよいし、複数のサーバラック２２が奥行き方向に配列されて全体で奥行き方向に長く構成されていてもよい。
【００２０】
第１サーバラック列２３１と第２サーバラック列２３２とは、それぞれのサーバ２１が対向するように配置されている。第３サーバラック列２３３と第４サーバラック列２３４、第５サーバラック列２３５と第６サーバラック列２３６、および第７サーバラック列２３７と第８サーバラック列２３８も、それぞれのサーバ２１が対向するように配置されている。
下階サーバフロア３１のサーバ室２の第１〜第８サーバラック列２３１〜２３８と、上階サーバフロア３２のサーバ室２の第１〜第８サーバラック列２３１〜２３８とは、同じ配置となっている。
【００２１】
下階サーバフロア３１のサーバ室２には、各サーバラック列２３の上端部から天井（ＵＰＳフロア６の床材１４の下面１４ａ）まで延びる仕切り壁２４（図１−図３参照）が設けられている。仕切り壁２４は、各サーバラック列２３の奥行き方向の全体にわたるように設けられている。
第１サーバラック列２３１、第３サーバラック列２３３、第５サーバラック列２３５および第７サーバラック列２３７の上部に設けられた仕切り壁２４は、各サーバラック列２３の上面における間口方向の他方側の端部から天井まで延びている。
第２サーバラック列２３２、第４サーバラック列２３４、第６サーバラック列２３６および第８サーバラック列２３８の上部に設けられた仕切り壁２４は、各サーバラック列２３の上面における間口方向の一方側の端部から天井まで延びている。
【００２２】
上階サーバフロア３２のサーバ室２には、間口方向に隣り合うサーバラック列２３１〜２３８の間とその上部とを仕切る仕切り板２５（図１、図２参照）が設けられている。仕切り板２５は、サーバラック列の奥行き方向の全体にわたるように設けられている。仕切り板２５は、第１サーバラック列２３１と第２サーバラック列２３２との間、第３サーバラック列２３３と第４サーバラック列２３４との間、第５サーバラック列２３５と第６サーバラック列２３６との間、第７サーバラック列２３７と第８サーバラック列２３８との間それぞれに設けられ、第２サーバラック列２３２と第３サーバラック列２３３との間、第４サーバラック列２３４と第５サーバラック列２３５との間、第６サーバラック列２３６と第７サーバラック列２３７との間には設けられていない。
【００２３】
ＵＰＳフロア６のＵＰＳ室４と下階サーバフロア３１のサーバ室２とは、ＵＰＳ室４の床材１４に形成された上下方向に貫通する下側開口部１６を介して空気が流通可能に構成されている。なお、下階サーバフロア３１のサーバ室２に天井材が設けられている場合は、下側開口部１６は、その天井材も貫通するように形成されている。
ＵＰＳ室４の床材１４には、間口方向に隣り合うＵＰＳ列の間それぞれの下方となる部分に下側開口部１６が形成されている。下側開口部１６は奥行き方向に延びている。
下側開口部１６には、下階サーバフロア３１のサーバ２１の運転状況やサーバ室２の温熱環境に応じて、サーバ室２へ流入する風量を調整するための開閉調整機能やファンを付加することもできる。なお、開閉調整機能の調整は、管理者が手動で行うように構成されていてもよいし、自動で行われるように構成されていてもよい。
【００２４】
第１ＵＰＳ列４２１と第２ＵＰＳ列４２２との間の直下となる部分に設けられた下側開口部１６を第１下側開口部１６１とし、第２ＵＰＳ列４２２と第３ＵＰＳ列４２３との間の直下となる部分に設けられた下側開口部１６を第２下側開口部１６２とし、第３ＵＰＳ列４２３と第４ＵＰＳ列４２４との間の直下となる部分に設けられた下側開口部１６を第３下側開口部１６３とし、第４ＵＰＳ列４２４と第５ＵＰＳ列４２５との間の直下となる部分に設けられた下側開口部１６を第４下側開口部１６４とする。
【００２５】
第１下側開口部１６１は、第１サーバラック列２３１と第２サーバラック列２３２との間の直上となる部分に配置されている。第２下側開口部１６２は、第３サーバラック列２３３と第４サーバラック列２３４との間の直上となる部分に配置されている。第３下側開口部１６３は、第５サーバラック列２３５と第６サーバラック列２３６との間の直上となる部分に配置されている。第４下側開口部１６４は、第７サーバラック列２３７と第８サーバラック列２３８との間の直上となる部分に配置されている。
サーバラック列２３の上部に設けられた仕切り壁２４は、下側開口部１６と干渉しない位置に配置されている。
【００２６】
ＵＰＳフロア６のＵＰＳ室４と上階サーバフロア３２のサーバ室２とは、上階サーバフロア３２のサーバ室２の床材１５に形成された上下方向に貫通する上側開口部１９を介して空気が流通可能に構成されている。なお、ＵＰＳ室４に天井材が設けられている場合は、上側開口部１９は、その天井材も貫通するように形成されている。
上階サーバフロア３２のサーバ室２の床材１５には、間口方向に隣り合うＵＰＳ列の間それぞれの上方となる部分に上側開口部１９が形成されている。上側開口部１９は奥行き方向に延びている。
上側開口部１９には、上階サーバフロア３２のサーバ２１の運転状況やサーバ室２の温熱環境に応じて、サーバ室２へ流入する風量を調整するための開閉調整機能やファンを付加することもできる。なお、開閉調整機能の調整は、管理者が手動で行うように構成されていてもよいし、自動で行われるように構成されていてもよい。
【００２７】
第１ＵＰＳ列４２１と第２ＵＰＳ列４２２との間の直上となる部分に設けられた上側開口部１９を第１上側開口部１９１とし、第２ＵＰＳ列４２２と第３ＵＰＳ列４２３との間の直上となる部分に設けられた上側開口部１９を第２上側開口部１９２とし、第３ＵＰＳ列４２３と第４ＵＰＳ列４２４との間の直上となる部分に設けられた上側開口部１９を第３上側開口部１９３とし、第４ＵＰＳ列４２４と第５ＵＰＳ列４２５との間の直上となる部分に設けられた上側開口部１９を第４上側開口部１９４とする。
【００２８】
第１上側開口部１９１は、第１サーバラック列２３１と第２サーバラック列２３２との間の直下となる部分に配置されている。第２上側開口部１９２は、第３サーバラック列２３３と第４サーバラック列２３４との間の直下となる部分に配置されている。第３上側開口部１９３は、第５サーバラック列２３５と第６サーバラック列２３６との間の直下となる部分に配置されている。第４上側開口部１９４は、第７サーバラック列２３７と第８サーバラック列２３８との間の直下となる部分に配置されている。
サーバラック列の上部に設けられた仕切り板２５は、上側開口部１９の直上に間隔をあけて配置されている。
本実施形態では、上側開口部１９は、下側開口部１６の直上に配置されている。上側開口部１９および下側開口部１６は、グレーチングなどが設けられていて、上部を歩行可能となっている。
【００２９】
本実施形態では、１つのサーバ室用空調システムユニット７における下階サーバフロア３１に設けられたサーバ２１の設置面積に対する、ＵＰＳフロア６に設けられたＵＰＳ４１の設置面積の割合が３０〜６０％程度となるように設定されている。
なお、上階サーバフロア３２に設けられたサーバ２１の設置面積は、下階サーバフロア３１に設けられたサーバ２１の設置面積とほぼ同じとなっている。このため、上階サーバフロア３２に設けられたサーバ２１の設置面積に対する、ＵＰＳフロア６に設けられたＵＰＳ４１の設置面積の割合も３０〜６０％程度となっている。
【００３０】
本実施形態では、リチウムイオン蓄電池が搭載されたＵＰＳ４１を設置しているため、サーバ２１に対するＵＰＳ４１の設置面積の割合を小さくすることができる。そして、サーバ２１に対するＵＰＳ４１の設置面積の割合を小さくすることができることにより、下側開口部１６を形成するスペースを確保しやすくなるとともに、下側開口部１６のＵＰＳ室４の床材１４に対する配置の自由度を上げることができる。
【００３１】
本実施形態によるサーバ室用空調システム１では、空調機５１は、ＵＰＳ室４に冷気を供給するとともに、エアダクト８を介して下階サーバフロア３１および上階サーバフロア３２の空気を空調機室５に吸引するように構成されている。
これにより、本実施形態によるサーバ室用空調システム１では、空調機室５からＵＰＳ室４に供給された冷気がＵＰＳ４１を冷却した後に、隣り合うＵＰＳ列４２の間の下側の下側開口部１６を介して下階サーバフロア３１のサーバ室２に流入するとともに、隣り合うＵＰＳ列４２の間の上下側の上側開口部１９を介して上階サーバフロア３２のサーバ室２に流入する。
【００３２】
ＵＰＳ室４から下階サーバフロア３１のサーバ室２に流入した冷気は、サーバ２１を冷却した後にエアダクト８を介して空調機室５に流入する。ＵＰＳ室４から上階サーバフロア３２のサーバ室２に流入した冷気は、サーバ２１を冷却した後にエアダクト８を介して空調機室５に流入する。空調機室５に流入した空気は、空調機５１によって冷却され、冷気としてＵＰＳ室４に供給される。
【００３３】
上述したように、下階サーバフロア３１のサーバ室２には、下側開口部１６を介してＵＰＳ室４の冷気が流入する。このため、冷気は、隣り合う仕切り壁２４の間を通り、隣り合うサーバラック列２３の間（第１サーバラック列２３１と第２サーバラック列２３２との間、第３サーバラック列２３３と第４サーバラック列２３４との間、第５サーバラック列２３５と第６サーバラック列２３６との間、第７サーバラック列２３７と第８サーバラック列２３８との間）に流入する。この隣り合う仕切り壁２４の間および隣り合うサーバラック列２３の間がコールドアイルとなる。
【００３４】
そして、下階サーバフロア３１のサーバ室２に流入した冷気は、サーバ２１を冷却し、各サーバラック列の冷気が供給された側と反対側（第１サーバラック列２３１の間口方向の一方側、第２サーバラック列２３２と第３サーバラック列２３３との間、４サーバラック列と第５サーバラック列２３５との間、第６サーバラック列２３６と第７サーバラック列２３７との間、第８サーバラック列２３８の間口方向の他方側）となる領域に移動する。この各サーバラック列２３における冷気が供給された側と反対側となる領域がホットアイルとなる。
ホットアイルの空気は、上述したように、空調機５１の吸引によりエアダクト８を通って空調機室５に流入する。
【００３５】
また、上述したように、上階サーバフロア３２のサーバ室２には、上側開口部１９を介してＵＰＳ室４の冷気が流入する。このため、冷気は、隣り合うサーバラック列２３の間（第１サーバラック列２３１と第２サーバラック列２３２との間、第３サーバラック列２３３と第４サーバラック列２３４との間、第５サーバラック列２３５と第６サーバラック列２３６との間、第７サーバラック列２３７と第８サーバラック列２３８との間）に流入する。この隣り合うサーバラック列２３の間がコールドアイルとなる。
なお、隣り合うサーバラック列２３の間に流入した空気は、仕切り板２５によって仕切り板２５よりも上方への移動が抑制されている。
【００３６】
そして、上階サーバフロア３２のサーバ室２に流入した冷気は、サーバ２１を冷却し、各サーバラック列２３における冷気が供給された側と反対側（第１サーバラック列２３１の間口方向の一方側、第２サーバラック列２３２と第３サーバラック列２３３との間、４サーバラック列と第５サーバラック列２３５との間、第６サーバラック列２３６と第７サーバラック列２３７との間、第８サーバラック列２３８の間口方向の他方側）となる領域に移動する。この各サーバラック列２３における冷気が供給された側と反対側となる領域がホットアイルとなる。
ホットアイルの空気は、上述したように、空調機５１の吸引によりエアダクト８を通って空調機室５に流入する。
【００３７】
次に、上述した本実施形態によるサーバ室用空調システム１の作用・効果について図面を用いて説明する。
上述した本実施形態によるサーバ室用空調システム１では、サーバフロア３がＵＰＳフロア６の上階および下階の両方に設けられ、ＵＰＳフロア６と、下階サーバフロア３１と、上階サーバフロア３２と、からなる３層構造として構成されている。
このような構成とすることにより、ＵＰＳ室４の冷気を上下のサーバ室２それぞれに直接送り込み、サーバ室２を冷却することができるため、搬送動力を削減することができるとともに、空調のダクトレス化および空調機５１の集約化を図ることができる。また、ＵＰＳ室４からサーバ室２へ均質な冷気を送り込むことができる。
また、ＵＰＳ室４から上下のサーバ室２それぞれに直接電源を送り込むことができるため、ケーブルおよびケーブルラックを削減することができる。
また、空調の集約化やケーブルおよびケーブルラックの削減を図ることができるため、サーバフロア３やＵＰＳフロア６に柱１２が設けられていてもサーバ２１やＵＰＳ４１、空調機５１などの配置の自由度が高いため、経済的な柱スパンに対応することができる。また、空調のダクトレス化やケーブルおよびケーブルラックの削減を図ることができるため、必要となる階高を小さくすることができる。これらのことにより、サーバ室用空調システム１をコンパクトにかつ安価に構築することができる。
【００３８】
また、サーバ室用空調システム１では、サーバ室２には、サーバラック列２３が互いに間隔をあけて配列され、ＵＰＳ室４からサーバ室２に流入する冷気は、隣り合うサーバラック列２３の間に流入するように構成されている。
このような構成とすることにより、ＵＰＳ室４からサーバ室２に流入する冷気を多くのサーバ２１に当てることができ、多くのサーバ２１を均等に冷却することができる。
【００３９】
以上、本発明によるサーバ室用空調システム１の実施形態について説明したが、本発明は上記の実施形態に限定されるものではなく、その趣旨を逸脱しない範囲で適宜変更可能である。
例えば、上記の実施形態では、サーバ室用空調システム１では、サーバフロア３がＵＰＳフロア６の上階および下階の両方に設けられ、ＵＰＳフロア６と、その上下階のサーバフロア３とからなる３層構造として構成されている。これに対し、サーバフロア３がＵＰＳフロア６の下階のみに設けられ、ＵＰＳフロア６と、その下階のサーバフロア３とからなる２層構造として構成されていてもよい。
【００４０】
このような構成の場合、空調機室５からＵＰＳ室４に供給された冷気をサーバ室２に供給するサーバ室用空調システム１において、サーバフロア３をＵＰＳフロア６の下階に設けることができるため、建築計画の自由度を上げることができる。
また、ＵＰＳ室４の冷気を下階のサーバ室２に移動させるため、ＵＰＳ室４からサーバ室２への空気の移動を効率よく行うことができる。
【００４１】
また、上記の実施形態では、サーバ室２には、多数のサーバ２１を収容した複数のサーバラック２２が互いに間隔をあけて配列され、ＵＰＳ室４からサーバ室２に流入する冷気は、隣り合うサーバラック２２の間に流入するように構成されている。これに対して、下階サーバフロア３１のサーバラック２２に対しては、ＵＰＳ室４の冷気を上方から直接当てるようにしてもよい。
【符号の説明】
【００４２】
１  サーバ室用空調システム
２  サーバ室
３  サーバフロア
４  ＵＰＳ室（無停電電源装置室）
５  空調機室
６  ＵＰＳフロア（無停電電源装置フロア）
２１  サーバ
２２  サーバラック
３１  下階サーバフロア（下階のサーバフロア）
３２  上階サーバフロア（上階のサーバフロア）
４１  ＵＰＳ（無停電電源装置）
５１  空調機
【図１】
2020080117.tif 000003
【図２】
2020080117.tif 000004
【図３】
2020080117.tif 000005
【図４】
2020080117.tif 000006